(57)【要約】【課題】既存のアナログ放送受信用の回路にデジタル放送受信用の回路を付加した構成において部品点数を減らしてコストを削減したデジタル／アナログ放送受信装置を提供することである。【解決手段】ＤＶＤ一体型テレビ（デジタル／アナログ放送受信装置）１０は、装置全体を制御するメインマイコン２１と、メインマイコン２１に接続されたＮＴＳＣ放送選局用マイコン２２と、メインマイコン２１に接続されたＡＴＳＣ放送選局用マイコン２３と、ＮＴＳＣ放送選局用マイコン２２に接続されたチューナ１２とを備え、ＡＴＳＣ放送の選局は、ＡＴＳＣ放送選局用マイコン２３からメインマイコン２１及びＮＴＳＣ放送選局用マイコン２２を介してチューナ１２に指示される構成とする。【選択図】図１
0003128059.tif 000002
【実用新案登録請求の範囲】
【請求項１】
アナログ放送とデジタル放送の両方を受信できるデジタル／アナログ放送録画再生装置において、
装置全体を制御するメインマイコンと、該メインマイコンにＩＩＣバスにより接続されたアナログ放送選局用マイコンと、該メインマイコンにＩＩＣバスにより接続されたデジタル放送選局用マイコンと、前記アナログ放送選局用マイコンにＩＩＣバスにより接続されたチューナと、受信した放送をＤＶＤに録画し再生するＤＶＤ録画再生部と、映像を出力するモニタとを備え、
デジタル放送の選局は、前記デジタル放送選局用マイコンから前記メインマイコン及び前記アナログ放送選局用マイコンを介して前記チューナに指示されることを特徴とするデジタル／アナログ放送録画再生装置。
【請求項２】
アナログ放送とデジタル放送の両方を受信できるデジタル／アナログ放送受信装置において、
装置全体を制御するメインマイコンと、該メインマイコンに接続されたアナログ放送選局用マイコンと、該メインマイコンに接続されたデジタル放送選局用マイコンと、前記アナログ放送選局用マイコンに接続されたチューナとを備え、
デジタル放送の選局は、前記デジタル放送選局用マイコンから前記メインマイコン及び前記アナログ放送選局用マイコンを介して前記チューナに指示されることを特徴とするデジタル／アナログ放送受信装置。
【請求項３】
前記メインマイコンと前記アナログ放送選局用マイコン、前記メインマイコンと前記デジタル放送選局用マイコン、前記アナログ放送選局用マイコンと前記チューナは、それぞれＩＩＣバスにより接続されることを特徴とする請求項２記載のデジタル／アナログ放送受信装置。
【請求項４】
映像を出力するモニタを備えたことを特徴とする請求項２又は３記載のデジタル／アナログ放送受信装置。
【請求項５】
請求項２〜４の何れかに記載のデジタル／アナログ放送受信装置と、該デジタル／アナログ放送受信装置で受信した放送を記録媒体に録画し再生する録画再生部とを備えたデジタル／アナログ放送録画再生装置。
【考案の詳細な説明】
【技術分野】
【０００１】
本考案は、アナログ放送とデジタル放送の両方を受信できるデジタル／アナログ放送受信装置及びデジタル／アナログ放送録画再生装置に関する。
【背景技術】
【０００２】
現在、日本や米国をはじめ世界的に地上アナログ放送から地上デジタル放送への過渡期にあり、地上アナログ放送終了（停波）まではアナログ放送とデジタル放送とが混在した状態が続くことになる。そのため、現在販売されている放送受信装置は、アナログ放送とデジタル放送の両方を受信できるものが主流となっている（特許文献１参照）。
【特許文献１】特開２００３−２０４２７４号公報
【考案の開示】
【考案が解決しようとする課題】
【０００３】
アナログ放送とデジタル放送の両方を受信できるデジタル／アナログ放送受信装置又はデジタル／アナログ放送録画再生装置を設計する場合、既存のアナログ放送受信装置又はアナログ放送録画再生装置にデジタル放送受信用の回路を付加する形で設計する方法と、最初からデジタル／アナログ放送受信用の回路を配置して設計する方法とが考えられる。      
【０００４】
前者の方法によれば、既存の回路をベースに設計することができるので、設計が容易であるとともに、既存の部品も流用することができコスト削減に繋がる。後者の方法によれば、新たに設計することになるので、設計に時間が掛かり部品の大幅な変更も必要となるが、部品点数は少なくできる可能性がある。
【０００５】
上記のように設計の方法によって一長一短があるが、コスト削減の観点からは前者の方法を用いながら部品点数を減らすことができれば、大きな効果が得られる。
【０００６】
本考案は、既存のアナログ放送受信用の回路にデジタル放送受信用の回路を付加した構成において部品点数を減らしてコストを削減したデジタル／アナログ放送受信装置及びデジタル／アナログ放送録画再生装置を提供することを目的とする。
【課題を解決するための手段】
【０００７】
上記目的を達成するために本考案は、アナログ放送とデジタル放送の両方を受信できるデジタル／アナログ放送受信装置において、
装置全体を制御するメインマイコンと、該メインマイコンに接続されたアナログ放送選局用マイコンと、該メインマイコンに接続されたデジタル放送選局用マイコンと、前記アナログ放送選局用マイコンに接続されたチューナとを備え、
デジタル放送の選局は、前記デジタル放送選局用マイコンから前記メインマイコン及び前記アナログ放送選局用マイコンを介して前記チューナに指示されることを特徴とする。
【０００８】
上記のデジタル／アナログ放送受信装置において、前記メインマイコンと前記アナログ放送選局用マイコン、前記メインマイコンと前記デジタル放送選局用マイコン、前記アナログ放送選局用マイコンと前記チューナは、それぞれＩＩＣバスにより接続される。
【０００９】
また上記のデジタル／アナログ放送受信装置において、映像を出力するモニタを備えてもよい。
【００１０】
また上記のデジタル／アナログ放送受信装置と、該デジタル／アナログ放送受信装置で受信した放送を記録媒体に録画し再生する録画再生部とを備えたデジタル／アナログ放送録画再生装置としてもよい。
【００１１】
本考案を具体化すると、アナログ放送とデジタル放送の両方を受信できるデジタル／アナログ放送録画再生装置において、
装置全体を制御するメインマイコンと、該メインマイコンにＩＩＣバスにより接続されたアナログ放送選局用マイコンと、該メインマイコンにＩＩＣバスにより接続されたデジタル放送選局用マイコンと、前記アナログ放送選局用マイコンにＩＩＣバスにより接続されたチューナと、受信した放送をＤＶＤに録画し再生するＤＶＤ録画再生部と、映像を出力するモニタとを備え、
デジタル放送の選局は、前記デジタル放送選局用マイコンから前記メインマイコン及び前記アナログ放送選局用マイコンを介して前記チューナに指示される構成となる。
【考案の効果】
【００１２】
本考案によれば、デジタル放送選局用マイコンはメインマイコンにだけ接続された構成とすることにより、デジタル放送選局用マイコンとチューナとを接続するＩＩＣバスが不要となる。その結果、既存のアナログ放送受信用の回路にデジタル放送受信用の回路を付加した構成において、部品点数を減らしてコストを削減することができる。
【考案を実施するための最良の形態】
【００１３】
以下、北米で採用されているＡＴＳＣ（Advanced Television Systems Committee）デジタル放送とＮＴＳＣ（National Television Standards Committee）アナログ放送を用いて説明するが、本考案は他の方式にも同様に適用することができる。
【００１４】
本実施形態では、デジタル／アナログ放送受信装置及びデジタル／アナログ放送録画再生装置の一例としてＤＶＤ一体型テレビを例に説明するが、本考案は、テレビ受像機などの放送受信装置やＤＶＤ装置などの放送録画再生装置にもそれぞれ適用することができる。
【００１５】
図１は、ＤＶＤ一体型テレビ１０の構成を示すブロック図である。ＤＶＤ一体型テレビ１０には、放送局から所定周波数の高周波電波で発信されるテレビ放送信号を受信するためのアンテナ３０が接続されている。そして、ＤＶＤ一体型テレビ１０はリモコン４０より指示を受ける。リモコン４０は、視聴するテレビ番組のチャンネル選局、テレビ番組の視聴予約及び録画予約などの各種操作を行うものであり、ユーザにより操作される。リモコン４０は、これら操作を可能とする各種ボタン（不図示）を備えており、各種ボタンを操作すると、その操作に応じた赤外線信号等の無線信号を送出する。
【００１６】
ＤＶＤ一体型テレビ１０は、放送局から発信されるＡＴＳＣ放送信号やＮＴＳＣ放送信号をアンテナ３０を介して受信し、これらの放送信号により配信されるテレビ番組をモニタに映し出すテレビ受像機と、これらの放送信号により配信されるテレビ番組を録画するＤＶＤ装置とが一体となったものである。なお、録画する装置としてＨＤＤ装置やビデオ装置などを用いることもできる。
【００１７】
ＤＶＤ一体型テレビ１０は、リモコン受信部１１と、チューナ１２と、ＮＴＳＣデコーダ１３と、ＭＰＥＧエンコーダ１４と、ＡＴＳＣフロントエンド１５と、ＤＶＤ録画再生部１６と、ＭＰＥＧデコーダバックエンド１７と、ＯＳＤ回路１８と、モニタ１９と、メモリ２０と、メインマイコン２１と、ＮＴＳＣ放送選局用マイコン（アナログ放送選局用マイコン）２２と、ＡＴＳＣ放送選局用マイコン（デジタル放送選局用マイコン）２３とから構成されている。
【００１８】
リモコン受信部１１は、リモコン４０から送出された信号を受信し、リモコン４０での操作に対応する信号をメインマイコン２１へ出力する。チューナ１２は、その受信周波数をリモコン４０で選局操作されたチャンネルに対応する周波数に同調させることにより、選局操作されたチャンネルのテレビ放送信号をアンテナ３０を介して受信する。
【００１９】
ＮＴＳＣデコーダ１３は、リモコン４０によりＮＴＳＣ放送のチャンネルが選局された場合、チューナ１２で受信したＮＴＳＣ放送信号をテレビ番組の映像信号と音声信号に復調し、その映像信号と音声信号とをＭＰＥＧエンコーダ１４へ出力する。ＭＰＥＧエンコーダ１４は、ＮＴＳＣデコーダ１３から出力された映像信号と音声信号とをＭＰＥＧ規格でデジタル圧縮符号化し、ＭＰＥＧデコーダバックエンド１７へ出力する。
【００２０】
ＡＴＳＣフロントエンド１５は、リモコン４０によりＡＴＳＣ放送のチャンネルが選局された場合、チューナ１２で受信した８ＶＳＢ方式で変調されたＡＴＳＣ信号を、ＭＰＥＧ規格でデジタル圧縮符号化された複数のテレビ番組の映像と音声、及び電子番組情報等の信号が時分割多重化された状態のＴＳ（Transport Stream）信号に復調する。そして、ＡＴＳＣフロントエンド１５は、このＴＳ信号からリモコン４０で選局されたチャンネルのテレビ番組の映像信号と音声信号を分離抽出してＭＰＥＧデコーダバックエンド１７へ出力するとともに、電子番組情報を抽出してメインマイコン２１へ出力する。
【００２１】
ＤＶＤ録画再生部１６は、メインマイコン２１による制御のもと、ＭＰＥＧエンコーダ１４及びＡＴＳＣフロントエンド１５から出力される映像信号と音声信号をＤＶＤに記録し、また、ＤＶＤに記録された映像信号と音声信号を再生してＭＰＥＧデコーダバックエンド１７へ出力する。なお、録画再生部としてはＨＤＤ録画再生部やビデオ録画再生部を採用することもできる。また、複数の録画再生部を設けてもよい。
【００２２】
ＭＰＥＧデコーダバックエンド１７には、ＭＰＥＧエンコーダ１４、ＡＴＳＣフロントエンド１５、及びＤＶＤ録画再生部１６から出力されるＭＰＥＧ規格によりデジタル圧縮符号化された映像信号と音声信号が入力される。ＭＰＥＧデコーダバックエンド１７は、これらの映像信号と音声信号をデジタル圧縮符号化される前の信号に復号することで、モニタ１９に映像を映し出すとともに音声を出力するための信号を生成する。ＭＰＥＧデコーダバックエンド１７から出力された映像信号は、ＯＳＤ回路１８を介してモニタ１９へ出力される。
【００２３】
ＯＳＤ回路１８は、ＭＰＥＧデコーダバックエンド１７から出力される映像信号にチャンネル番号やＥＰＧ画面等の所定のオンスクリーン表示データを重畳する。これにより、モニタ１９には、テレビ番組の映像にオンスクリーン表示データによる画像が重ねて表示される。メモリ２０は、予約データや、各チャンネルのテレビ放送信号の周波数データや、各種オンスクリーン表示データを記憶している。
【００２４】
ＮＴＳＣ放送選局用マイコン２２は、メインマイコン２１とチューナ１２とにそれぞれＩＩＣバスで接続されている。そして、ＮＴＳＣ放送選局用マイコン２２は、メインマイコン２１からＮＴＳＣ放送の選局指示を受け、チューナ１２に選局されたチャンネルのＮＴＳＣ放送信号を受信させる。
【００２５】
ＡＴＳＣ放送選局用マイコン２３は、メインマイコン２１にＩＩＣバスで接続されている。そして、ＡＴＳＣ放送選局用マイコン２３は、メインマイコン２１からＡＴＳＣ放送の選局指示を受け、メインマイコン２１及びアナログ放送選局用マイコン２２を介してチューナ１２に選局されたチャンネルのＡＴＳＣ放送信号を受信させる。
【００２６】
一般に、既存のアナログ放送受信用の回路にデジタル放送受信用の回路を付加した構成を考える場合、既存のアナログ放送受信用の回路にＡＴＳＣフロントエンド１５とＡＴＳＣ放送選局用マイコン２３を付加することになるので、ＡＴＳＣフロントエンド１５は図１のように接続され、ＡＴＳＣ放送選局用マイコン２３はＮＴＳＣ放送選局用マイコンと並列に接続される。つまり、ＡＴＳＣ放送選局用マイコン２３は、メインマイコン２１とチューナ１２とにそれぞれＩＩＣバスで接続される構成になる。その場合、ＡＴＳＣ放送選局用マイコン２３は、メインマイコン２１からＡＴＳＣ放送の選局指示を受け、直接チューナ１２に選局されたチャンネルのＡＴＳＣ放送信号を受信させることになる。
【００２７】
しかし、本実施形態の構成のように、ＡＴＳＣ放送選局用マイコン２３はメインマイコン２１にだけ接続された構成とすることにより、ＡＴＳＣ放送選局用マイコン２３とチューナ１２とを接続するＩＩＣバスが不要となる。その結果、既存のアナログ放送受信用の回路にデジタル放送受信用の回路を付加した構成において、部品点数を減らしてコストを削減することができる。
【００２８】
メインマイコン２１は、リモコン４０によりＮＴＳＣ放送のチャンネルが選局された場合には、ＮＴＳＣ放送選局用マイコン２２へ選局指示を出すとともに、ＮＴＳＣデコーダ１３に対して映像信号と音声信号を復調再生させる。また、リモコン４０によりＡＴＳＣ放送のチャンネルが選局された場合には、ＡＴＳＣ放送選局用マイコン２３へ選局指示を出すとともに、ＡＴＳＣフロントエンド１５に対して選局されたチャンネルの映像信号と音声信号を分離抽出させる。
【００２９】
また、メインマイコン２１は、リモコン４０により番組の視聴予約又は録画予約操作が行われると、番組の視聴予約又は録画予約を行い、その番組予約のデータをメモリ２０に記憶させる。
【００３０】
このＤＶＤ一体型テレビ１０を設置したときに、ＮＴＳＣ放送とＡＴＳＣ放送の両方が受信できる状態にあると、リモコン４０のアップダウンキー（不図示）を操作することにより、ＮＴＳＣ放送のチャンネルが順に切り替わり、続いてＡＴＳＣ放送のチャンネルが順に切り替わる。また、ＤＶＤに予約録画する場合も予約録画モードにおいてアップダウンキーを操作すれば、ＮＴＳＣ放送のチャンネルが順に切り替わり、続いてＡＴＳＣ放送のチャンネルが順に切り替わるので、所望のチャンネルの録画を予約することができる。
【００３１】
次に、リモコン４０により選局されてから番組がモニタ１９に映し出されるまでのＤＶＤ一体型テレビ１０の動作について説明する。図２は、ＤＶＤ一体型テレビ１０の選局動作を示すフローチャートである。
【００３２】
ＮＴＳＣ放送とＡＴＳＣ放送の両方が受信できる状態にあるとき、リモコン４０が操作されて何れかのチャンネルの選局が指示されると、ステップＳ１０においてリモコン受信部１１がリモコン４０から送出された信号を受信し、リモコン４０での操作に対応する信号をメインマイコン２１へ出力する。
【００３３】
ステップＳ１０からステップＳ１１へ進んでメインマイコン２１はリモコン４０からの選局指示がＮＴＳＣ放送のチャンネルかＡＴＳＣ放送のチャンネルかを判別する。ステップＳ１１において選局指示がＮＴＳＣ放送のチャンネルであった場合、ステップＳ１２へ進んでメインマイコン２１はＮＴＳＣ放送選局用マイコン２２へ選局指示を出す。次にステップＳ１３へ進んで、ＮＴＳＣ放送選局用マイコン２２は、選局されたチャンネルのＮＴＳＣ放送信号をチューナ１２に受信させる。続いてステップＳ１４へ進んでＮＴＳＣ放送信号は、チューナ１２からＮＴＳＣデコーダ１３、ＭＰＥＧエンコーダ１４、ＭＰＥＧデコーダバックエンド１７、ＯＳＤ回路１８を介して処理され、モニタ１９に番組が映し出される。
【００３４】
一方、ステップＳ１１において選局指示がＡＴＳＣ放送のチャンネルであった場合、ステップＳ１５へ進んでメインマイコン２１はＡＴＳＣ放送選局用マイコン２３へ選局指示を出す。次にステップＳ１６へ進んで、ＡＴＳＣ放送選局用マイコン２３は、メインマイコン２１へ選局されたチャンネルのＡＴＳＣ放送信号を受信する指示を出す。次にステップＳ１７へ進んでメインマイコン２１は、ＡＴＳＣ放送選局用マイコン２３からの指示をそのままＮＴＳＣ放送選局用マイコン２２へ出す。次にステップＳ１８へ進んでＮＴＳＣ放送選局用マイコン２２は、メインマイコン２１からの指示をそのままチューナ１２へ出す。これにより、チューナ１２はＡＴＳＣ放送選局用マイコン２３の指示にしたがってチャンネルを受信する。続いてステップＳ１９へ進んでＡＴＳＣ放送信号は、チューナ１２からＡＴＳＣフロントエンド１５、ＭＰＥＧデコーダバックエンド１７、ＯＳＤ回路１８を介して処理され、モニタ１９に番組が映し出される。
【００３５】
上記の動作によると、ＮＴＳＣ放送の選局は従来と同様の処理で行い、ＡＴＳＣ放送の選局は、ＡＴＳＣ放送選局用マイコン２３から直接チューナ１２に指示されるのではなく、ＡＴＳＣ放送選局用マイコン２３からメインマイコン２１及びＮＴＳＣ放送選局用マイコン２２を介してチューナ１２に指示される。このように制御することにより、ＡＴＳＣ放送選局用マイコン２３とチューナ１２とを接続するＩＩＣバスが不要であり、部品点数を減らしてコストを削減することができる。
【産業上の利用可能性】
【００３６】
本考案のデジタル／アナログ放送受信装置及びデジタル／アナログ放送録画再生装置は、ＤＶＤ一体型テレビのほか、テレビ受像機、ＤＶＤ装置、ＨＤＤ装置、ビデオ装置、それらの複合機などに利用することができる。
【図面の簡単な説明】
【００３７】
【図１】本考案のＤＶＤ一体型テレビの構成を示すブロック図である。
【図２】本考案のＤＶＤ一体型テレビの選局動作を示すフローチャートである。
【符号の説明】
【００３８】
１０    ＤＶＤ一体型テレビ（デジタル／アナログ放送受信装置）
１２    チューナ
１６    ＤＶＤ録画再生部
１９    モニタ
２１    メインマイコン
２２    ＮＴＳＣ放送選局用マイコン（アナログ放送選局用マイコン）
２３    ＡＴＳＣ放送選局用マイコン（デジタル放送選局用マイコン）
【図１】
0003128059.tif 000003
【図２】
0003128059.tif 000004